(57)【要約】【課題】フォーカスリング等の様々な操作手段を持つ撮像装置において、操作対象項目に応じて操作手段を使い分けることが困難であった。【解決手段】ビデオカメラ１０１は、使用者による操作を受け付ける操作部１８５と、本体に対して開閉可能であり、表示画面への接触操作を受け付けるタッチパネル部１８２と、タッチパネル部１８２が閉状態のとき、操作部１８５を介して受け付けられた第１の操作を特定の設定項目に関する設定値の設定のための操作として認識する一方、タッチパネル部１８２が開状態のとき、少なくともタッチパネル部１８２を介して受け付けられた第２の操作を特定の設定項目に関する設定値の設定のための操作として認識する操作認識部と、操作認識部が認識した結果にしたがって、特定の設定項目に関する設定値を設定する制御部と、を備える。【選択図】図１
2010154426.tif 000002
【特許請求の範囲】
【請求項１】
使用者による操作を受け付ける操作部と、
本体に対して開閉可能であり、表示画面への接触操作を受け付けるタッチパネル部と、
前記タッチパネル部が閉状態のとき、前記操作部を介して受け付けられた第１の操作を特定の設定項目に関する設定値の設定のための操作として認識する一方、
前記タッチパネル部が開状態のとき、少なくとも前記タッチパネル部を介して受け付けられた第２の操作を前記特定の設定項目に関する設定値の設定のための操作として認識する操作認識部と、
前記操作認識部が認識した結果にしたがって、前記特定の設定項目に関する設定値を設定する制御部と、
を備える撮像装置。
【請求項２】
前記操作部は、
回動することで操作可能なリング操作部を含む
請求項１に記載の撮像装置。
【請求項３】
前記リング操作部は、
レンズ鏡筒の外周に配置させる
請求項２に記載の撮像装置。
【請求項４】
前記特定の設定項目は、
ホワイトバランス、シャッター速度、又はアイリスの設定を含む
請求項１から３の何れかに記載の撮像装置。
【請求項５】
前記操作認識部は、
前記タッチパネル部が開状態のとき、前記タッチパネル部を介して受け付けられた第２の操作を前記特定の設定項目に関する設定値の設定のための操作として認識する一方、前記操作部を介して受け付けられた第３の操作を前記特定の設定項目とは異なる設定項目に関する設定値の設定のための操作として認識する
請求項１から４の何れかに記載の撮像装置。
【発明の詳細な説明】
【技術分野】
【０００１】
本発明は、複数の操作手段を有する撮像装置に関し、特にフォーカスリングとタッチパネルを操作手段として有する撮像装置に関するものである。
【背景技術】
【０００２】
デジタルビデオカメラは、デジタル一眼レフカメラと同様に、フォーカス操作等を行う操作手段として、フォーカスリングを備えるものがある。このようなデジタルビデオカメラにおいては、撮影時にフォーカスリングを操作することにより、微妙なフォーカス調整を行うことができる。
【０００３】
特許文献１に開示の撮像装置は、フォーカスリングの周囲に取り付けられ、押圧によって検知信号を発生する複数のセンサー素子からなるシート状のタッチセンサーと、複数のセンサー素子が検知した押圧位置および押圧位置の移動状態のパターンを検知するパターン検出部と、パターン検出部で検出されたパターンによって、撮像レンズから取り込まれる画像の加工を行って表示部に表示させる画像加工部とを有する構成により、拡大表示する位置を示す枠の移動操作や拡大表示機能のＯＮ／ＯＦＦを行う操作等の操作性が著しく改善でき、これによりフォーカス精度を向上させると共に迅速で快適な手動によるフォーカス調整の提供が可能となる。
【特許文献１】特開２００７−６００９１号公報
【発明の開示】
【発明が解決しようとする課題】
【０００４】
しかしながら、上記フォーカスリングとその周囲のタッチセンサーへの押圧パターンによる入力では、フォーカス調整は精度良く実現できるものの、その他の操作については、実現できない。例えばデジタルビデオカメラにおいて、撮影者が電子ビューファインダを覗きながら操作を行う場合、フォーカス調整以外の操作についても、フォーカスリングで行うことができれば、使い勝手は向上する。一方、撮影者は、液晶モニタを見ながら操作を行う場合、液晶モニタ上のタッチパネル等で操作できれば、操作が容易になる。
【０００５】
本発明は、撮像時の撮像装置の状態に応じて、同一の操作を異なる操作手段で実行することができる撮像装置を提供することを目的とする。
【課題を解決するための手段】
【０００６】
上記課題を解決するために、本発明の撮像装置は、使用者による操作を受け付ける操作部と、本体に対して開閉可能であり、表示画面への接触操作を受け付けるタッチパネル部と、前記タッチパネル部が閉状態のとき、前記操作部を介して受け付けられた第１の操作を特定の設定項目に関する設定値の設定のための操作として認識する一方、前記タッチパネル部が開状態のとき、少なくとも前記タッチパネル部を介して受け付けられた第２の操作を前記特定の設定項目に関する設定値の設定のための操作として認識する操作認識部と、前記操作認識部が認識した結果にしたがって、前記特定の設定項目に関する設定値を設定する制御部と、を備える。
【発明の効果】
【０００７】
本発明は上記の構成により、撮像時の撮像装置の状態に応じて、同一の操作を異なる操作手段で実行することができ、ユーザの使い勝手を向上することができる。
【発明を実施するための最良の形態】
【０００８】
以下、本発明の撮像装置をビデオカメラに適用した一実施の形態について、図面を用いて詳細に説明する。
（実施の形態１）
（１．構成）
図１は、本発明の表示装置を適用するビデオカメラ１０１の外観を示す図である。ビデオカメラ１０１は、表示装置としてタッチパネル１８２を備える。タッチパネル１８２は、ビデオカメラ１０１に開閉自在に保持される。タッチパネル１８２は、消費電力の削減を目的に、閉じた状態では、撮像画像等は表示されず、開くことにより、撮像画像等の表示が開始される。
【０００９】
ビデオカメラ１０１は、表示手段としてタッチパネル１８２に加えて、電子ビューファインダ１８６を備える。電子ビューファインダ１８６は、持ち運び時にはビデオカメラ１０１に収納され、使用時には引き出すことにより、使用可能となる。
【００１０】
ビデオカメラ１０１は操作手段として、通常のボタン等とともに、フォーカスリング１８５を備える。ユーザはフォーカスリング１８５を回動することにより、フォーカス調整等の操作を行うことができる。
（１−１．ビデオカメラの構成）
図２は、本発明の実施の形態１にかかるビデオカメラ１０１の構成を示すブロック図である。ビデオカメラ１０１は、光学系１１０により形成された被写体像を撮像素子１２０で撮像する。撮像素子１２０で生成された画像データは、画像処理部１４０で各種画像処理が施される。マイクロホン１５０で集音された音声データは、音声処理部１６０で各種音声処理が施される。画像処理部１４０で処理された画像データ、及び音声処理部１６０で処理された音声データは、システムエンコーダ１７２でシステムエンコード処理が施され、メモリーカード１８０に格納される。また、メモリーカード１８０などに格納されたＡＶデータの内、映像データはタッチパネル１８２で表示可能であり、音声データはスピーカ１８３で出力可能である。タッチパネル１８２は、液晶モニタとタッチパッドのような位置入力装置とを組み合わせたものである。以下、ビデオカメラ１０１の構成を詳細に説明する。
【００１１】
光学系１１０は、対物レンズ、ズームレンズ、絞り、ＯＩＳユニット、フォーカスレンズ等を含む。光学系１１０は、被写体からの光を集光し、被写体像を形成する。
【００１２】
撮像素子１２０は、光学系１１０で形成された被写体像を撮像して、画像データを生成する。撮像素子１２０は、ＣＭＯＳイメージセンサー、若しくはＣＣＤイメージセンサーである。ＡＤコンバータ１３０は、撮像素子１２０で生成された画像データをデジタル信号に変換する。
【００１３】
画像処理部１４０は、ＡＤコンバータ１３０で変換された画像データに対して各種の処理を施す。画像処理部１４０は、システムエンコーダ１７２へ入力する画像データの生成や、タッチパネル１８２に表示するための画像データの生成などをする。また、画像処理部１４０は、システムデコーダ１７３が出力する画像データに対して画像処理を施し、タッチパネル１８２に表示するための画像データを生成したり、システムエンコーダ１７２へ再入力するための画像データを生成したりする。画像処理部１４０は、ＤＳＰやマイコンなどで実現可能である。
【００１４】
画像前処理部１４１は、ＡＤコンバータ１３０で変換された画像データに対して、ガンマ補正やホワイトバランス補正などの各種画像処理を行う。
【００１５】
画像圧縮部１４２は、ＤＣＴ（離散コサイン変換）、ハフマン符号化などをおこなうことにより、画像データを圧縮する。画像圧縮部１４２は、例えば、ＭＰＥＧ−２や、Ｈ．２６４の規格に準拠した圧縮形式により画像データを圧縮する。但し、本発明は、ＭＰＥＧ−２や、Ｈ．２６４の形式の画像データに限定されない。
【００１６】
画像伸張部１４３は、システムデコーダ１７３から出力された圧縮済みの画像データをタッチパネル１８２で再生する場合などに、この画像データを非圧縮の状態に復号化する。
【００１７】
マイクロホン１５０は、音声を集音し、音声データを生成する。ステレオ音声やマルチチャンネル音声の入力に対応するため、マイクロホン１５０は、複数のマイクロホンで構成しても良い。
【００１８】
音声処理部１６０は、マイクロホン１５０の音声データに対して各種の処理を施す。音声処理部１６０は、システムエンコーダ１７２へ入力する音声データを生成や、スピーカ１８３に出力するための音声データの生成などをする。また、音声処理部１６０は、システムデコーダ１７３が出力する音声データに対して音声処理を施し、スピーカ１８３に出力するための音声データを生成したり、システムエンコーダ１７２へ入力するための音声データを生成したりする。音声処理部１６０は、ＤＳＰやマイコンなどで実現可能である。
【００１９】
音声前処理部１６１は、マイクロホン１５０で集音されたアナログの音声データを変換し、デジタル信号の音声データを生成する。また、ステレオ音声やマルチチャンネル音声の生成などの各種音声処理を行う。
【００２０】
音声圧縮部１６２は、例えば、ＭＰ３や、ＡＡＣ（Ａｄｖａｎｃｅｄ  Ａｕｄｉｏ  Ｃｏｄｉｎｇ）等に準拠した圧縮形式により音声データを圧縮する。但し、本発明は、ＭＰ３や、ＡＡＣの形式の音声データに限定されない。
【００２１】
音声伸張部１６３は、システムデコーダ１７３から出力された圧縮済みの音声データをスピーカ１８３で出力する場合などに、この音声データを非圧縮の状態に復号化する。
【００２２】
システムエンコーダ１７２は、画像処理部１４０が出力する圧縮画像データ、及び音声処理部１６０が出力する圧縮音声データから、メモリカード１８０に記録するＡＶデータを生成する。
【００２３】
システムデコーダ１７３は、メモリーカード１８０に記録されたＡＶデータを復号化し、圧縮画像データ、及び圧縮音声データを生成する。システムデコーダ１７３は、生成した圧縮画像データを画像伸張部１４３へ、圧縮音声データを音声伸張部１６３へそれぞれ出力する。
【００２４】
コントローラ１７０は、ビデオカメラ１０１全体を制御する制御手段である。コントローラ１７０は、半導体素子などで実現可能である。コントローラ１７０は、ハードウェアのみで構成してもよいし、ハードウェアとソフトウェアを組み合わせることにより実現してもよい。コントローラ１７０は、マイクロコンピュータで実現できる。
【００２５】
バッファメモリ１７１は、コントローラ１７０のワークメモリとして機能する。バッファメモリ１７１は、例えば、ＤＲＡＭ、強誘電体メモリなどで実現できる。
【００２６】
カードスロット１８１は、メモリーカード１８０を着脱可能である。カードスロット１８１は、機械的及び電気的にメモリーカード１８０と接続可能である。メモリーカード１８０は、フラッシュメモリや強誘電体メモリなどを内部に含み、データを格納可能である。コントローラ１７０は、生成したＡＶファイルをメモリーカード１８０に格納可能である。
【００２７】
タッチパネル１８２は、撮像素子１２０で生成した画像データや、メモリーカード１８０などから読み出したＡＶデータ中の画像データ、ビデオカメラ１０１の各種の設定情報や、撮影時間などを表示可能である。タッチパネル１８２は、使用者により、メニューなどが表示された領域に手が触れられると、触れられた画面位置の情報を感知して、コントローラ１７０に出力する。コントローラ１７０は、画面表示内容と画面位置情報とを基に、使用者が選択した操作を導出する。タッチパネル１８２の動作方式として、抵抗膜方式や、表面弾性波方式などがあるが、いずれの方式であっても良い。
【００２８】
スピーカ１８３は、マイクロホン１５０で集音した音声データや、メモリーカード１８０などから読み出したＡＶデータ中の音声データを出力可能である。
【００２９】
操作部１８４は、ボタン、十字キー等の各種操作手段である。操作部１８４は、使用者の指示を受け付け、その指示をコントローラ１７０に伝える。
【００３０】
フォーカスリング１８５は、光学系１１０の外周に配置されたリング状の操作部材である。使用者が、フォーカスリング１８５を回動することにより、その回動量がコントローラ１７０に伝えられ、フォーカス調整等の操作指示がなされる。
【００３１】
電子ビューファインダ１８６は、撮像素子１２０で生成した画像データや、メモリーカード１８０などから読み出したＡＶデータ中の画像データ、ビデオカメラ１０１の各種の設定情報や、撮影時間などを表示可能である。
【００３２】
電源１７４は、ビデオカメラ１０１の各部に動作に必要な電力を供給する。電源１７４は、持ち運び可能なビデオカメラにおいてはバッテリである。電源１７４はバッテリに限らず、ＡＣ電源であっても良い。
（１−２．本発明の構成との対応関係）
フォーカスリング１８５は、本発明の操作部の一例である。タッチパネル１８２は、本発明のタッチパネル部の一例である。コントローラ１７０は、本発明の操作認識部の一例であり、本発明の制御部の一例である。
（２．動作）
ユーザが、ビデオカメラ１０１で各種操作を行う際の動作について説明する。ユーザは、ビデオカメラ１０１のタッチパネル１８２を開いた状態では、タッチパネル１８２で撮影時の映像を確認しつつ、タッチパネル１８２上に表示される各種メニューをタッチすることにより、種々な操作を行うことができる。一方、タッチパネル１８２を閉じた状態では、ユーザは、撮影時の映像を電子ビューファインダ１８６で確認しつつ、操作部１８４及びフォーカスリング１８５を用いて、各種操作を行うことができる。
（２−１．タッチパネルを閉じた状態での操作）
タッチパネル１８２を閉じた状態で、ユーザがフォーカスリング１８５及び操作部１８４を用いて各種操作を行う際の動作を図３のフローチャートを用いて説明する。
【００３３】
ユーザは、撮像素子１２０で生成された映像を確認するために、電子ビューファインダ１８６の表示をオンにする（Ｓ３０１）。例えば、収納式の電子ビューファインダ１８６の場合、電子ビューファインダ１８６を引き出すことで、撮像中の映像が、電子ビューファインダ１８６上に正常に表示される。
【００３４】
ユーザは、操作部１８４の操作対象項目変更ボタンを押下すると（Ｓ３０２）、電子ビューファインダ１８６上に操作対象項目として、「ズーム操作」を表すアイコンが表示される（Ｓ３０３）。その後、ユーザが操作対象項目変更ボタンを押下する度に、電子ビューファインダ１８６に表示される操作対象項目を表すアイコンは、「フォーカス操作」→「ホワイトバランス調整」→「シャッター速度調整」→「アイリス調整」→「ズーム操作」と変化し、その変化が繰り返される。
【００３５】
ユーザは、電子ビューファインダ１８６上に操作したい操作対象項目を表すアイコンが表示されると（Ｓ３０４でＹｅｓ）、操作対象項目変更ボタンの押下を止め、フォーカスリング１８５の回動を開始する（Ｓ３０５）。コントローラ１７０は、フォーカスリング１８５の回動量を検知し、それに応じて、操作対象項目の値を変更し、その値の変化を電子ビューファインダ１８６上に表示する（Ｓ３０６）。さらに、コントローラ１７０は、操作対象項目の値の変化に伴い、電子ビューファインダ１８６上の撮像映像を変化させる。例えばフォーカス操作が行われている際には、その時のフォーカスに応じた撮像映像が電子ビューファインダ１８６上に表示される。ユーザは、フォーカスリング１８５を回動しつつ、電子ビューファインダ１８６に表示される値の変化を確認して所望の値になった時、又は撮像映像が所望の映像になった時に、フォーカスリング１８５の回動を止め、操作部１８４の確定ボタンを押下する（Ｓ３０７）。コントローラ１７０は、ユーザによる操作部１８４の確定ボタンの押下を検出すると、操作対象項目の値を確定する。
【００３６】
なお、本実施の形態１では、ユーザが値を確定する際に確定ボタンを押下する形態について説明したが、本発明はこれに限定されず、値の変更後に所定の時間、フォーカスリング１８５が回動されない時は値を確定する形態であってもよい。
【００３７】
このように、タッチパネル１８２を閉じた状態で、ユーザは、フォーカスリング１８５とボタンを用いることにより、電子ビューファインダ１８６を覗きながら、複数種類の操作を行うことができ、ビデオカメラ１０１の使い勝手が向上する。
（２−２．タッチパネルを開いた状態での操作）
タッチパネル１８２を開いた状態で、ユーザがタッチパネル１８２、フォーカスリング１８５及び操作部１８４を用いて各種操作を行う際の動作を図４のフローチャートを用いて説明する。
【００３８】
ユーザは、撮像映像の確認及び操作を行うために、ビデオカメラ１０１に収納されたタッチパネル１８２を開く（Ｓ４０１）。コントローラ１７０は、タッチパネル１８２が開かれたことを検知すると、タッチパネル１８２に撮像中の映像を表示する（Ｓ４０２）。ユーザは、この状態で、ホワイトバランス調整、シャッター速度調整及びアイリス調整をタッチパネル１８２を用いて操作が可能であり、フォーカス及びズームをフォーカスリング１８５を用いて操作可能である。
【００３９】
コントローラ１７０は、タッチパネル１８２上に撮像中の映像とともに、ホワイトバランス調整、シャッター速度調整及びアイリス調整の各操作を表すアイコンを表示する（Ｓ４０３）。ユーザは、タッチパネル１８２上の該当アイコンをタッチして、操作対象項目を選択する（Ｓ４０４）。コントローラ１７０は、タッチパネル１８２から選択された操作対象項目が通知され、その項目に対して設定された値をタッチパネル１８２上に表示する。ユーザは表示された値をタッチパネル１８２上で操作し、変更する（Ｓ４０５）。図５は、操作対象項目としてホワイトバランス調整を選択した場合の、タッチパネル１８２の表示画面を示す。ユーザは、操作対象項目を所望の値に変更した後に、確定メニューをタッチし、操作を終了する。なお、ユーザが値を確定するにあたって、確定メニューをタッチする形態に限らず、所定時間、値の変更がなされない時は値を確定する形態であってもよい。
【００４０】
このように、ホワイトバランス調整、シャッター速度調整及びアイリス調整のような、撮像中の映像の変化だけでは値の調整が困難で、実際の値そのものも併せて表示する方が望ましい操作項目に関しては、タッチパネル１８２を用いて値の変化を意識しつつ操作することにより、調整が容易になる。
【００４１】
ユーザは、タッチパネル１８２上での操作と並行して、フォーカスリング１８５を用いて、フォーカス操作又はズーム操作を実行することができる。ユーザは、操作部１８５の操作対象項目選択ボタンを押下することにより、フォーカス操作を行うか、ズーム操作を行うかを選択する（Ｓ４０７）。コントローラ１７０は、選択された操作対象項目を表すアイコンを、タッチパネル１８２上に表示する（Ｓ４０８）。ユーザは、フォーカスリング１８５を回動して、操作を行う（Ｓ４０９）。コントローラ１７０は、フォーカスリング１８５の回動量を検知し、それに応じて、操作対象項目の値を変更し、その値の変化に伴い、タッチパネル１８２上の撮像映像を変化させる（Ｓ４１０）。ユーザは、フォーカスリング１８５を回動しつつ、タッチパネル１８２に表示される撮像映像が所望の映像になった時に、フォーカスリング１８５の回動を止めることで操作を確定する。
【００４２】
このように、タッチパネル１８２を開いた状態でも、ズーム操作及びフォーカス操作のような、撮像中の映像を確認しつつ指先で微妙な調整を行うことにより操作しやすい項目に関しては、フォーカスリング１８５を用いて操作することにより、ユーザの使い勝手を向上することができる。
【００４３】
さらに、タッチパネル１８２を開いた状態では、タッチパネル１８２上での操作、及びフォーカスリング１８５を用いた操作を同時に行うことができ、ユーザの利便性が向上する。
（その他の実施の形態）
以上により、本発明の実施の形態として、実施の形態１を説明した。しかし、本発明は、これには限定されない。そこで、本発明の他の実施の形態を本欄にまとめて説明する。
【００４４】
本実施の形態１では、フォーカスリング１８５で操作する操作対象項目を選択するにあたって、操作対象項目変更ボタンを押下する形態について説明したが、本発明はこれに限定されず、例えば、十字キー等で操作対象項目を選択してもよいし、操作対象項目を変更するモードと操作対象項目の値を変更するモードとを切替えるボタンを設け、フォーカスリング１８５で操作対象項目を選択する形態であってもよい。
【００４５】
本実施の形態１では、リング状の操作部としてフォーカスリング１８５を用いる形態について説明したが、本発明はこれに限定されず、例えばリング状の操作部を別の箇所に設ける形態であってもよい。
【００４６】
本実施の形態１では、タッチパネル１８２を開いた状態で、ユーザがタッチパネル１８２を用いて行う操作として、ホワイトバランス調整、シャッター速度調整及びアイリス調整について説明したが、本発明はこれに限定されず、記録モードや記録画素数等のビデオカメラ１０１に関する各種設定情報を設定する操作であってもよい。
【産業上の利用可能性】
【００４７】
本発明の撮像装置は、撮像時の撮像装置の状態に応じて、操作手段として、フォーカスリングとタッチパネルを使い分けることができ、ユーザの使い勝手を向上することができるため、デジタルビデオカメラ、デジタルスチルカメラ等に適用することができ、有用である。
【図面の簡単な説明】
【００４８】
【図１】本発明の一実施の形態における表示装置を適用したビデオカメラの外観を示す図
【図２】本発明の一実施の形態におけるビデオカメラの構成を示すブロック図
【図３】本発明の一実施の形態におけるタッチパネルを閉じた状態でのユーザによる操作時の動作を示すフローチャート
【図４】本発明の一実施の形態におけるタッチパネルを開いた状態でのユーザによる操作時の動作を示すフローチャート
【図５】本発明の一実施の形態におけるタッチパネル上でのユーザ操作時の表示画面を示す図
【符号の説明】
【００４９】
１０１    ビデオカメラ
１１０    光学系
１２０    撮像素子
１３０    ＡＤコンバータ
１４０    画像処理部
１４１    画像前処理部
１４２    画像圧縮部
１４３    画像伸張部
１５０    マイクロホン
１６０    音声処理部
１６１    音声前処理部
１６２    音声圧縮部
１６３    音声伸張部
１７０    コントローラ
１７１    バッファ
１７２    システムエンコーダ
１７３    システムデコーダ
１７４    電源
１８０    メモリカード
１８１    カードスロット
１８２    タッチパネル
１８３    スピーカ
１８４    操作部
１８５    フォーカスリング
１８６    電子ビューファインダ
【図１】
2010154426.tif 000003
【図２】
2010154426.tif 000004
【図３】
2010154426.tif 000005
【図４】
2010154426.tif 000006
【図５】
2010154426.tif 000007